(57)【要約】 【課題】  凝集沈殿により水中の濁質を除去する水処理プロセスにおいて、各プロセスの粒径分布を演算することにより、目標とする水質を得るための凝集剤注入量を演算する。【解決手段】  原水の水量及び水質のデータを入力する原水条件入力手段３０と、水処理プラントの土木構造のデータを入力する土木構造入力手段３２と、凝集剤の注入量のデータを入力する凝集剤入力手段３３と、原水条件入力手段３０，土木構造入力手段３２及び凝集剤入力手段３３の入力データに基き、水処理プロセスの粒径分布を演算する粒径分布演算手段４１と、水質に関する除去目標値を入力する除去目標入力手段５０と、粒径分布演算手段４１を用いて、除去目標入力手段５０によって入力された除去目標値を満足する凝集剤注入量を演算する操作量演算手段９０とを具備した装置２０によって水処理プロセスの運転を支援する。【選択図】  図１
2006122749.tif 000002
【特許請求の範囲】
【請求項１】
凝集沈殿により水中の濁質粒子を除去する水処理プロセスの運転を支援する装置において、
原水の水量及び水質のデータを入力する原水条件入力手段と、
水処理プラントの土木構造のデータを入力する土木構造入力手段と、
凝集剤の注入量のデータを入力する凝集剤入力手段と、
前記原水条件入力手段，前記土木構造入力手段及び前記凝集剤入力手段の入力データに基き、水処理プロセスの粒径分布を演算する粒径分布演算手段と、
濁質粒子の除去目標値を入力する除去目標入力手段と、
前記粒径分布演算手段を用いて、前記除去目標入力手段によって入力された除去目標値を満足する凝集剤注入量を演算する操作量演算手段と
を具備したことを特徴とする水処理プロセス運転支援装置。
【請求項２】
請求項１に記載の水処理プロセス運転支援装置において、
前記粒径分布演算手段は、粒径毎に粒子数又は粒子体積を演算することを特徴とする水処理プロセス運転支援装置。
【請求項３】
請求項１に記載の水処理プロセス運転支援装置において、
前記凝集剤入力手段は、凝集剤の濃度及び注入量を入力するものであることを特徴とする水処理プロセス運転支援装置。
【請求項４】
請求項１に記載の水処理プロセス運転支援装置において、
攪拌装置の攪拌力を入力する攪拌力入力手段をさらに具備し、
前記粒径分布演算手段は、前記原水条件入力手段，前記土木構造入力手段，前記凝集剤入力手段及び前記攪拌力入力手段の入力データに基き、水処理プロセスの粒径分布を演算することを特徴とする水処理プロセス運転支援装置。
【請求項５】
請求項１に記載の水処理プロセス運転支援装置において、
前記粒径分布演算手段の演算結果を用いて沈殿池流出水濁度を演算する濁度演算手段をさらに具備し、
前記操作量演算手段は、前記粒径分布演算手段及び前記濁度演算手段を用いて、前記除去目標入力手段によって入力された除去目標値を満足する凝集剤注入量を演算することを特徴とする水処理プロセス運転支援装置。
【請求項６】
請求項１乃至５のいずれかに記載の水処理プロセス運転支援装置において、
前記除去目標入力手段は、濁度，粒径，粒子体積濃度及び粒子個数濃度を目標値として入力する手段を有することを特徴とする水処理プロセス運転支援装置。
【請求項７】
請求項１乃至６のいずれかに記載の水処理プロセス運転支援装置において、
前記除去目標入力手段は、急速混和池，フロック形成池，沈殿池のプロセス毎に目標値を設定する手段と、複数の目標値を同時に設定する手段とを有することを特徴とする水処理プロセス運転支援装置。
【請求項８】
コンピュータを、
原水の水量及び水質，水処理プラントの土木構造及び凝集剤の注入量のデータが入力されたことに基き、水処理プロセスの粒径分布を演算する粒径分布演算手段と、
水中の濁質粒子の除去目標値が入力されたことに基き、前記粒径分布演算手段を用いて、前記除去目標値を満足する凝集剤注入量を演算する操作量演算手段と
して機能させることを特徴とする水処理プロセス運転支援のためのプログラム。
【請求項９】
請求項８に記載の水処理プロセス運転支援のためのプログラムにおいて、
前記粒径分布演算手段は、粒径毎に粒子数又は粒子体積を演算することを特徴とする水処理プロセス運転支援のためのプログラム。
【請求項１０】
コンピュータを、
原水の水量及び水質，水処理プラントの土木構造及び凝集剤の注入量のデータが入力されたことに基き、水処理プロセスの粒径分布を演算する粒径分布演算手段と、
水中の濁質粒子の除去目標値が入力されたことに基き、前記粒径分布演算手段を用いて、前記除去目標値を満足する凝集剤注入量を演算する操作量演算手段と
して機能させる水処理プロセス運転支援のためのプログラムを記録したことを特徴とするコンピュータ読み取り可能な記録媒体。
【請求項１１】
請求項１０に記載のコンピュータ読み取り可能な記録媒体において、
前記粒径分布演算手段は、粒径毎に粒子数又は粒子体積を演算することを特徴とするコンピュータ読み取り可能な記録媒体。
【発明の詳細な説明】
【技術分野】
【０００１】
本発明は、凝集沈殿により水中の濁質を除去する水処理プロセスの運転を支援する装置に関し、特に、プロセスの粒径分布を演算して運転を支援するのに好適な水処理プロセス運転支援装置に関する。
【背景技術】
【０００２】
浄水場では、水中の不純物のうち、１μｍから１ｎｍくらいの寸法の濁質粒子（濁り、ウイルス、細菌、天然の着色成分、藻類等）を除去せねばならない。水中の濁質粒子の表面は通常負の電荷を帯びているために、濁質粒子を互いに接近してもお互いに反発しあい、安定に分散して水中に存在する。そのために、浄水場ではまず、濁質粒子と反対の電荷（正の電荷）をもつ凝集剤を水中に加え、原水と凝集剤を均一するために、急速混和池で急速攪拌する。凝集剤を加えることで濁質粒子の表面の電荷が中和され、電気的な反発力を失う。このとき、ファン・デル・ワールス力（van der Waal’s force）と言われる分子間引力が働いており、電気的な反発力を失った濁質粒子はブラウン運動や水流により、お互いに接近し、結合して小さな塊の微粒子が形成する。この微粒子は通常、マイクロフロックと呼ばれている。しかし、沈殿池での除去可能な大きな粒子にするために、さらに緩やかな攪拌を加え、マイクロフロックの相互衝突を繰り返させて、集塊を大幅に進行させることが必要になる。そこで、次のフロック形成池によって緩速撹拌を加えることによりこのマイクロフロックを衝突結合させてマイクロフロックからフロックと呼ばれる凝集塊を形成させる。このようなフロック成長過程において、前述したファン・デル・ワールス力だけでは結合力が不十分であり、粒子間の結合を補強する（架橋作用）ための物質が必要である。凝集剤は電荷中和と同時にこの架橋作用も備えている。フロック形成池で成長したフロックは沈殿池によって重力により沈降分離する。以上の凝集沈殿工程により原水の濁質粒子が除去される。
【０００３】
凝集沈殿プロセスによる濁質粒子除去機能は、原水の水質と水量、凝集剤や撹拌条件で大きく異なる。沈殿池から流出する濁質粒子あるいは濁度を目標範囲内に維持するには、各池における濁質粒子、マイクロフロック、フロックの粒径、粒子数、密度等原水条件と撹拌力条件を把握し、凝集剤注入操作に反映させる運転が非常に重要である。しかし、水質が自然界の影響を受けて大きく変動するという課題や、原水の粒径分布を連続計測できる計測器がないという課題、浄水場では急速混和池から沈殿池出口の滞留時間はおおよそ３〜４hと長く、例えば沈殿池出口の濁質粒子あるいは濁度を計測しても凝集剤の注入操作に反映することは難しいという課題などがある。
【０００４】
これらの課題に対し、いくつかの凝集剤注入制御システムが提案されている。例えば、過去の凝集剤実績と、原水の濁度、ｐＨ値、アルカリ度、水温の補正値から凝集剤注入量を算出する方法（特許文献１参照）、または、凝集剤を加えた処理水の電荷量を目標値になるように凝集剤注入量を制御する方法（特許文献２参照）、または、フロックの個数濃度を一定値にするように凝集剤注入量を調節する方法（特許文献３参照）などがある。
【０００５】
一方、水質モデルを用いて水質変化を計算する方法（特許文献４参照）や、濁度を数値計算により計算する方法（特許文献５参照）が提案されている。
【特許文献１】特開２００２−１５９８０５号公報（段落番号００２３〜３２、図１〜１０）
【特許文献２】特開２００２−２０５０７６号公報（段落番号００１６〜２３、図１）
【特許文献３】特開平１０−２０２０１３号公報（段落番号００２２〜３０、図１〜３）
【特許文献４】特開２００１−３０６１０６号公報（段落番号００１１〜１８、図１〜２）
【特許文献５】特開２００１−３８３４２号公報（段落番号００２２〜２７、図２）
【発明の開示】
【発明が解決しようとする課題】
【０００６】
特開２００２−１５９８０５号公報（特許文献１）には、過去の凝集剤実績と、原水の濁度、ｐＨ値、アルカリ度、水温の補正値から凝集剤注入量を算出する方法を記載している。しかし、様々な原水水質と量、凝集剤注入量、攪拌力の組み合わせに対応できる履歴データや事例が蓄積されるまでは、濁度の予測精度が大幅低下するという課題がある。また、事例に無い条件の場合は予測できない事態が発生するという課題がある。
【０００７】
特開２００２−２０５０７６号公報（特許文献２）には、凝集剤を加えた急速混和池の処理水の電荷量を目標値になるように凝集剤注入量を制御する方法を記載している。しかし、電荷量を反映できるのは、ファン・デル・ワールス力による結合のみであり、凝集反応の要素である架橋作用やブラウン運動などは考慮されていないため、適正な凝集剤注入量とするには課題がある。また、フロック形成池や沈殿池における現象については何ら記載されておらず、沈殿池出口の水質を把握することは困難である。
【０００８】
特開平１０−２０２０１３号公報（特許文献３）には、光透過センサーを用いて急速混和池のフロックの個数濃度から求めたフロックの平均粒径が一定値になるように凝集剤注入量を制御する方法を記載している。しかし、原水中の濁質粒子の粒径分布は大きく変化するので、フロック平均粒径を一定にしても沈殿池濁度は目標値を維持できない。例えば、自然界の河川水を原水にする場合、降雨時では濁質粒子個数が増え、さらに降り始めでは濁質粒子は粗くしばらくたつと細かくなる。このように、急速混和池、フロック形成池のフロックの平均粒径は、フロック自身（粒子数、粒径、密度）のほか外乱（原水中の濁質粒子、水量、ｐＨ、降雨、アルカリ度、凝集剤、攪拌力等）によって変動することは容易に理解できる。
【０００９】
以上の従来技術では、常に変動している原水水質、急速混和池やフロック形成池の攪拌力、沈殿池での沈降分離などの複雑な過程を把握して、凝集剤注入操作条件を決定することは困難である。
【００１０】
一方、特開２００１−３０６１０６号公報（特許文献４）は、複数のモデルから薬注入モデルを選択し各プロセスの水質変化を演算する方法が提案されている。しかし、特開２００１−３０６１０６号公報は、浄水場におけるシミュレータの構築に必要な公知のモデルタイトルのみ記載しているが、凝集沈殿プロセスの具体的な演算についてなんら記載されていない。
【００１１】
また、特開２００１−３８３４２号公報（特許文献５）は濁度の数値シミュレーションによって浄水場の特性を評価する方法である。しかし、凝集沈殿の基本である粒径分布を演算しておらず、単に濁度を計算するだけでは各反応プロセスにおける現象を把握することができず、凝集剤注入量を制御することはできない。
【００１２】
以上従来技術では、凝集沈殿プロセスにおける、急速混和池、フロック形成池、沈殿池における現象を把握できないため、適切な凝集剤注入量を決定することは困難である。
【００１３】
本発明の目的は、凝集沈殿により水中の濁質を除去する水処理プロセスにおいて、各プロセスの粒径分布を演算することにより、目標とする水質を得るための凝集剤注入量を演算できるようにすることにある。
【課題を解決するための手段】
【００１４】
上記の目的を達成するために、本発明に係る水処理プロセス運転支援装置は、凝集沈殿により水中の濁質粒子を除去する水処理プロセスの運転を支援する装置において、原水の水量及び水質のデータを入力する原水条件入力手段と、水処理プラントの土木構造のデータを入力する土木構造入力手段と、凝集剤の注入量のデータを入力する凝集剤入力手段と、これらの原水条件入力手段，土木構造入力手段及び凝集剤入力手段の入力データに基き、水処理プロセスの粒径分布を演算する粒径分布演算手段と、水質に関する除去目標値を入力する除去目標入力手段と、この粒径分布演算手段を用いて、この除去目標入力手段によって入力された除去目標値を満足する凝集剤注入量を演算する操作量演算手段とを具備したことを特徴とする。
【００１５】
また、粒径分布演算手段は、粒径毎に粒子数又は粒子体積を演算することを特徴とする。また、凝集剤入力手段は、凝集剤の濃度及び注入量を入力するものであることを特徴とする。
【００１６】
また、攪拌装置の攪拌力を入力する攪拌力入力手段をさらに具備し、粒径分布演算手段は、原水条件入力手段，土木構造入力手段，凝集剤入力手段及びこの攪拌力入力手段の入力データに基き、水処理プロセスの粒径分布を演算することを特徴とする。
【００１７】
また、粒径分布演算手段の演算結果を用いて沈殿池流出水濁度を演算する濁度演算手段をさらに具備し、操作量演算手段は、粒径分布演算手段及びこの濁度演算手段を用いて、除去目標入力手段によって入力された除去目標値を満足する凝集剤注入量を演算することを特徴とする。
【００１８】
また、除去目標入力手段は、濁度，粒径，粒子体積濃度及び粒子個数濃度を目標値として入力する手段を有することを特徴とする。
【００１９】
また、除去目標入力手段は、急速混和池，フロック形成池，沈殿池のプロセス毎に目標値を設定する手段と、複数の目標値を同時に設定する手段とを有することを特徴とする。
【００２０】
次に、本発明に係る水処理プロセス運転支援のためのプログラムは、コンピュータを、原水の水量及び水質，水処理プラントの土木構造及び凝集剤の注入量のデータが入力されたことに基き、水処理プロセスの粒径分布を演算する粒径分布演算手段と、水中の濁質粒子の除去目標値が入力されたことに基き、この粒径分布演算手段を用いて、この除去目標値を満足する凝集剤注入量を演算する操作量演算手段として機能させることを特徴とする。また、粒径分布演算手段は、粒径毎に粒子数又は粒子体積を演算することを特徴とする。
【００２１】
次に、本発明に係るコンピュータ読み取り可能な記録媒体は、コンピュータを、原水の水量及び水質，水処理プラントの土木構造及び凝集剤の注入量のデータが入力されたことに基き、水処理プロセスの粒径分布を演算する粒径分布演算手段と、水中の濁質粒子の除去目標値が入力されたことに基き、この粒径分布演算手段を用いて、この除去目標値を満足する凝集剤注入量を演算する操作量演算手段として機能させる水処理プロセス運転支援のためのプログラムを記録したことを特徴とする。また、粒径分布演算手段は、粒径毎に粒子数又は粒子体積を演算することを特徴とする。
【発明の効果】
【００２２】
本発明によれば、原水の水量及び水質，水処理プラントの土木構造及び凝集剤の注入量のデータに基いて水処理プロセスの粒径分布を定量的に演算するので、プロセスの状況を定量的に把握することができる。
【００２３】
そして、このように水処理プロセスの状況を定量的に把握しながら、目標とする水質を得るための凝集剤注入量を演算するので、凝集剤注入量を適切に決定して水処理プロセスの運転を支援することができる。
【発明を実施するための最良の形態】
【００２４】
以下、本発明の一実施の形態を図面を参照しつつ説明する。本実施形態は、本発明を浄水場の浄水処理プロセスの運転支援に適用した例である。
【００２５】
図１は、本実施形態の浄水処理プロセス運転支援システムの全体概略構成を、浄水プラントと共に示す図である。浄水プラント１００は、着水井１，急速混和池２，フロック形成池３，沈殿池４及びろ過池５を備えており、急速混和池２に凝集剤１３を加えるいわゆる「凝集沈殿―急速ろ過法」で浄水処理を行う。
【００２６】
貯水池や川（図示せず）から浄水場に送り込まれてくる原水６を、着水井１に一旦ためて水位と水量を調節してから、急速混和池２に流入する。流量計７は、原水６の水量を計測し、計測センサ８は原水６の水質及び水温を計測する。ここでの原水６の水質とは、例えば、濁度，ｐＨ値，アルカリ度，有機物，窒素，りん，金属イオン等である。
【００２７】
急速混和池２では、凝集剤１３が加えられ、全体が一様になるために、攪拌装置１４によって急速攪拌する。急速混和池２にある濁質粒子（濁り，ウイルス，細菌，天然の着色成分，藻類等）の表面の電荷は加えた凝集剤１３によって中和し、電気的な反発力を失い、電気的な反発力を失った濁質粒子は攪拌作用により、お互いに接触し、マイクロフロックが形成する。
【００２８】
急速混和池２で形成したマイクロフロックは、フロック形成池３で攪拌装置１５により緩速攪拌を行い、水流運動でマイクロフロックを互いに衝突合一させ、重力沈降可能なフロックを成長させる。一般的に、フロック形成池３は複数段（図１には３段の実施例を示す）からなり、各段にはそれぞれの攪拌装置１５が設けられ、フロックが大きく成長するにつれて段階的に攪拌装置１５の回転速度または、回転数を下げていくように制御されている。
【００２９】
フロック形成池３で成長したフロックは沈殿池４において、重力沈降により水から分離され、沈みきれなかったフロックは処理水の濁質となる。沈殿池４でのフロックの沈降速度はフロックの大きさ、密度，形状，水温等によって決まるために、フロック形成池３の出口（沈殿池４の入口）においては、適切な大きさ・密度のフロックが形成される必要がある。沈殿池流出水９に含まれる濁質（沈殿池４で沈みきれなかったフロック）は、後ろに続くろ過池５により、ろ過除去した上、消毒池（図示せず）と、給配水システム（図示せず）を経て、水道水となる。計測センサ１０は、沈殿池流出水９の水質を計測する。ここでの沈殿池流出水９の水質は、例えば、濁度，色度，有機物，窒素，リン，金属イオン等がある。
【００３０】
凝集剤貯蔵設備１１は、浄水場で使用する凝集剤１３を貯蔵する。凝集剤１３は例えば、PAC（ポリ塩化アルミニウム），硫酸アルミニウム，硫酸第一鉄，硫酸第二鉄等があり、浄水場の実情によって異なる。凝集剤操作装置１２は、事前に設定した凝集剤１３の注入量、または、流量計７の計測値，計測センサ８の計測値（濁度，ｐＨ値，アルカリ度，水温等）及び計測センサ１０の計測値（濁度，ｐＨ値，アルカリ度等）から演算した凝集剤１３の注入量、または後述する浄水処理プロセス運転支援システム２０から通信インターフェースを介して受信した注入量のデータに基いて、凝集剤１３を凝集剤貯蔵設備１１から急速混和池２へ注入する。
【００３１】
攪拌操作装置１６は、急速混和池２における攪拌装置１４の攪拌力（回転数・攪拌速度）を制御する。攪拌操作装置１６は、例えば、事前に設定した回転数、または、流量計７の計測値と凝集剤操作装置１２の操作値から演算した回転数に基いて、攪拌装置１４を制御する。
【００３２】
攪拌操作装置１７は、フロック形成池３における攪拌装置１５の攪拌力を制御する。なお、フロック形成池３は複数段（図１には３段の実施例を示す）から構成される場合、攪拌操作装置１７は各段の攪拌装置１５を、例えば、流下方向に向かって段階的に回転数を下げるように制御する。
【００３３】
以上に説明した浄水プラント１００を対象とした運転支援システム２０の構成について、引き続き図１を参照して説明する。
【００３４】
浄水処理プロセス運転支援システム２０は、コンピュータ（ワークステーションまたはパーソナルコンピュータ）に、水処理プロセス運転支援のためのプログラムをインストールしたものである。このプログラムは、例えばＣＤ−ＲＯＭ等の記録媒体に格納したものであってもよく、あるいはまたＷｅｂサイトからダウンロードするようになっていてもよい。
【００３５】
この運転支援システム２０は、機能的に、データ入力手段３０と、モデル演算手段４０と、除去目標入力手段５０と、プラントデータ入力手段６０と、表示手段８０と、操作量演算手段９０とで構成されている。
【００３６】
データ入力手段３０は、シミュレーション計算に必要なデータを入力する手段であり、原水条件入力手段３１と、土木構造入力手段３２と、凝集剤入力手段３３と、攪拌力入力手段３４とで構成されている。
【００３７】
原水条件入力手段３１は、原水の水量，水質及び水温のデータを入力するものである。ここでの水質とは、例えば、濁度，pH値，アルカリ度，有機物，金属イオン等である。
【００３８】
土木構造入力手段３２は、着水井１，急速混和池２，フロック形成池３，沈殿池４及びろ過池５の有効幅，有効長さ及び有効水深の寸法データと、フロック形成池３の段数及び分割状況のデータとを入力するものである。
【００３９】
凝集剤入力手段３３は、凝集剤の種類，塩基度，濃度，凝集条件，注入量等のデータを入力するものである。ここでの凝集条件は、例えば、凝集剤が有効に働くpH，アルカリ度の範囲等である。
【００４０】
攪拌力入力手段３４は、急速混和池２，フロック形成池３に設置されている攪拌装置１４，１５の攪拌速度，回転数，回転翼の面積，回転翼の半径等のデータを入力するものである。
【００４１】
データ入力手段３０は、オペレーターがキーボードやマウスを操作してデータを入力するものであってもよいし、あるいは、プラントデータ入力手段６０がプラント１００から受信した計測値や操作量のデータを入力するものであってもよい。このデータ入力手段３０によって入力されたデータは、モデル演算手段４０に送られる。
【００４２】
プラントデータ入力手段６０は、通信インターフェースを介して、浄水プラント１００内の流量計７，計測センサ８，凝集剤操作装置１２，攪拌操作装置１６及び１７から計測値及び操作量のデータを受信する。そして、流量計７及び計測センサ８から送られた計測値のデータを原水条件入力手段３１に送信し、凝集剤操作装置１２から送られた操作量のデータを凝集剤入力手段３３に送信し、攪拌操作装置１６及び１７から送られた操作量のデータを攪拌力入力手段３４に送信する。なお、プラントデータ入力手段６０が受信するデータは、プラントの２４時間実測データ（例えば１分または１秒毎のデータ）でもよいし、日平均値と２４時間変動パターンによって作成した２４時間予測データ（例えば１分または１秒毎のデータ）でもよいし、２４時間を通して一定値とした予測データでもよい。
【００４３】
モデル演算手段４０は、粒径分布演算手段４１と濁度演算手段４２とで構成される。粒径分布演算手段４１は、データ入力手段３０によって入力されたたデータに基き、凝集・沈殿モデルを用いて、原水，急速混和池，フロック形成池及び沈殿池における粒径分布を演算する。モデル演算手段４０での演算結果は、表示手段８０に送信される。表示手段８０は、この演算結果をディスプレイに画面表示する。
【００４４】
濁度演算手段４２は、粒径分布演算手段４１で演算された粒径分布に基いて、少なくとも、沈殿池の濁度を演算する。式（１）に、沈殿池流出水に含まれる粒子の濃度から濁度を換算する例を示す。
ｔｕＯ＝ｆ×Ｃ…（１）
ただし、ｔｕＯ：沈殿池流出水濁度（ｍｇ／Ｌ）、ｆ：濁度変換係数、Ｃ：沈殿池流出水に含まれる粒子の濃度（ｍｇ／Ｌ）
【００４５】
式（１）には、沈殿池流出水の濁度を演算する例を示したが、急速混和池やフロック形成池についても同様な方法で濁度を得ることができる。また、式（１）の濁度変換係数ｆは、急速混和池，フロック形成池，沈殿池のいずれであるかによって異なり、浄水場によっても異なる。
【００４６】
除去目標入力手段５０は、オペレーターが、ディスプレイに表示されるＧＵＩ画面を見ながら、キーボードやマウスを操作して濁水質粒子の除去目標値を入力するものである。この除去目標値は、例えば、沈殿池流出水の濁度を１．０ｍｇ／Ｌ以下にするとか、沈殿池に続くろ過池の逆洗浄回数を減らす目的で粒径１０μｍ以上の粒子流出をゼロにするというような、濁度や粒径や粒子体積濃度や粒子個数濃度の目標値である。除去目標値は、浄水場の置かれた環境（原水条件，運転方針等）によって任意に設定できることが望ましい。
【００４７】
操作量演算手段９０は、除去目標入力手段５０によって入力された除去目標値を満足する凝集剤注入量の最適値を算出するものである。操作量演算手段９０は、例えば、凝集剤注入率（原水水量１リットルに対する凝集剤注入量）を様々に変え、モデル演算装置４０を用いて凝集剤注入率と粒径分布との関係（沈殿池流出水については濁度凝集剤注入率と粒径分布と濁度との関係）を計算し、さらに、除去目標入力手段５０によって入力された除去目標値を満足できる凝集剤注入量を最適値として決定する。操作量演算手段９０によって決定された凝集剤注入量は、表示手段８０によってディスプレイに画面表示される。また、この操作量演算手段９０によって決定された凝集剤注入量のデータは、通信インターフェースを介して、プラント１００の凝集剤操作装置１２に送信される。これにより、運転支援システム２０での凝集剤注入量の演算結果をプラント１００での凝集剤１３の注入操作に反映させるようにプラント１００を自動制御することができる。
【００４８】
このように、データ入力手段３０と、モデル演算装置４０と、除去目標手段５０と、操作量演算手段９０とを用いて、原水，急速混和池，フロック形成池及び沈殿池の粒径分布と少なくとも沈殿池の濁度とを数値計算し、除去目標値を満足できる凝集剤注入量を決定することにより、浄水処理プロセスの運転を支援することができる。
【００４９】
図２に、粒径分布演算手段４１によって演算された粒径分布の例を示す。この例は、横軸には粒径クラスを示し、縦軸には各粒径クラスに対応する粒子数を示した粒径分布である。例えば、式（２）を用いて、平均粒径を0.393×10-6ｍ〜1909×10-6ｍの９２グループに分けて粒径分布を計測する場合、図２の横軸の粒径クラスは１，２，…９２となる。この場合、粒径クラス１，２，３，９２に対応する平均粒径は、それぞれ0.393×10-6ｍ，0.432×10-6ｍ，0.475×10-6ｍ，1909×10-6ｍである。
ｄ(i+1)  ＝ｄi＋ｄi×０．１…（２）
ただし、ｄi：粒径クラスｉの平均粒径（ｍ）、ｉ：粒径クラス（ｉ＝１，２，…ｎ）
【００５０】
また、式（２）の平均粒径に基いて、粒径クラス定義の一例を式（３），（４）及び（５）に示す。なお、ここでは、粒径クラス１は式（３）に、粒径クラス２〜（ｎ−１）は式（４）に、粒径クラスｎは式（５）によって定義されている。
Ｌ1＜（ｄ1＋ｄ2）／２…（３）
（ｄ(i-1)＋ｄi）／２＜Ｌｉ＜（ｄi＋ｄ(i+1)）／２…（４）
（ｄ(n-1)＋ｄn）／２＜Ｌn…（５）
ただし、Ｌi：粒径クラスｉ、ｄi：粒径クラスｉの平均粒径（ｍ）、ｉ：粒径クラス（ｉ＝１，２，…ｎ）
【００５１】
図２には粒径分布として粒径クラスと粒子数の関係を示したが、粒径クラスと粒子体積の関係として粒径分布を演算してもよい。
【００５２】
図３は、粒径分布演算手段４１によって行われる粒径分布の演算手順を示すフロー図である。ステップＳ１は、ジャーテストなどにより事前に計測された基準粒径分布と原水条件入力手段３１によって入力された原水条件を用いて、原水の粒径分布を演算する。ステップＳ２は、データ入力手段３０によって入力したデータとステップＳ１の原水の粒径分布を用いて、急速混和池の粒径分布を演算する。ステップＳ３は、データ入力手段３０によって入力したデータと前記ステップＳ２の急速混和池の粒径分布を用いて、フロック形成池の粒径分布を演算する。ステップＳ４は、ステップＳ３のフロック形成池の粒径分布を用いて、沈殿池の粒径分布を演算する。
【００５３】
図４は、このステップＳ１によって行われる原水の粒径分布を演算する手順を示すフロー図である。
【００５４】
ステップＳ１０は、原水条件入力手段３１によって入力された原水濁度に基き、基準粒径分布記憶手段４５から該当する基準粒径分布を読み出す。基準粒径分布記憶手段４５は、ジャーテストなどにより事前に計測された基準粒径分布を記憶する。ここでの基準粒径分布は、原水の濁度の代表的な濁度における濁質粒子の粒径分布である。例えば、濁度を低，中，高の３つレベルに分けてそれぞれの代表的な濁度の粒径分布としてもよい。また、季節毎に、代表的な濁度の粒径分布としてもよい。また、降雨量に応じた濁度の粒径分布としてもよい。これらの粒径分布を基準粒径分布記憶手段４５に保存することで、ステップＳ１０は、原水の条件（濁度，水温，降雨量等）に基き、基準粒径分布記憶手段４５から次ステップ以降の演算に用いる基準粒径分布を決定する。
【００５５】
ステップＳ１１は、ステップＳ１０で決定した基準粒径分布と原水条件入力手段３１によって入力された原水濁度を用いて、粒径クラス毎に原水の濁質粒子の粒子数を演算する。この演算式の一例を式（６）に示す。
Ｎｒｗ＝ＮＳ×ｔｕ/ｔｕＳ…（６）
ただし、Ｎｒｗ：原水の濁質粒子の粒子数（個/Ｌ）、ＮＳ：基準の粒子数（個/Ｌ）、ｔｕ：原水の濁度（ｍｇ/Ｌ）、ｔｕＳ：基準粒径分布の濁度（ｍｇ/Ｌ）
粒径クラス毎のステップＳ１１の繰り返しにより、全ての粒径クラスに対して原水の濁質粒子の粒子数を演算して、原水の粒径分布を得ることができる。
【００５６】
図５は、図３のステップＳ２によって行われる急速混和池の粒径分布を演算する手順を示すフロー図である。
【００５７】
ステップＳ２０は、原水条件入力手段３１によって入力された原水条件（ｐＨ値，アルカリ度，水温等）のデータと、土木構造入力手段３２によって入力された寸法データと、凝集剤入力手段３３によって入力された凝集剤注入量のデータと、攪拌力入力手段３４によって入力された攪拌力のデータとを用いて、凝集効率を演算する。ここで凝集効率とは、原水の濁質粒子がマイクロフロックに形成する割合であり、例えば、凝集効率の範囲を0.0〜１.0とすると、凝集効率0.0とは濁質粒子は全く凝集しないこと、凝集効率1.0とは濁質粒子は全て凝集することを意味する。凝集効率演算式の一例を式（７）に示す。式（７）では、攪拌による濁質粒子運動強度，凝集剤注入による濁質粒子の電荷中和及び架橋作用により、凝集効率αを算出する。
α＝Ｆ（Ｄ）×Ｆ（ＡＬＴ）×Ｆ（ＡＰ）…（７）
Ｆ（Ｘ）＝１/（１＋ｅｘｐ（−ａ・Ｘ＋ｂ））…（８）
ただし、α：凝集効率（α＝０〜１）、Ｄ：濁質粒子運動強度の指標、ＡＬＴ：電荷中和強度の指標、ＡＰ：架橋作用強度の指標、Ｆ（Ｘ）：ロジスティック曲線（Ｆ（Ｘ）＝０〜１、Ｘ＝Ｄ，ＡＬＴ、ＡＰ）、ａ，ｂ：係数
【００５８】
濁質粒子運動強度の指標Ｄは、攪拌による濁質粒子の運動強度を表わすものである。また、電荷中和強度の指標ＡＬＴは濁質粒子の表面の負電荷に対し正電荷の多寡を表わすものである。また、架橋作用強度指標ＡＰは、濁質粒子に対し金属水和物の多寡を表わすものである。式（７）の中の濁質粒子運動強度の指標Ｄ，電荷中和強度の指標ＡＬＴ，架橋作用強度指標ＡＰの一例を、それぞれ式（９），（１０），（１１）に示す。
Ｄ＝Ｋ（ｔｅｍｐ×２３７．１５）/（６・π・μ・ｄｒｗ）×Ｇ…（９）
ＡＬＴ＝ＣＲ/ｔｕ…（１０）
ＡＰ＝ａ・Ａｌｋ／ＣＲ×［１−（ｐＨ０−ｂ・ｐＨ）／１４］２−ｃ・ｔｕ…（１１）
ただし、ｔｕ：原水の濁度（ｍｇ/Ｌ）、ｔｅｍｐ：水温（℃）、Ａｌｋ：原水のアルカリ度（ｍｇ/Ｌ）、ｐＨ：原水のｐＨ値、ＣＲ：凝集剤注入率（ｍｇ/Ｌ）、ｐＨ０：凝集剤最適ｐＨ値、Ｋ：ボルツマン係数（Ｊ／Ｋ）、μ：水の粘性係数（Ｐａ・ｓ）、Ｇ：攪拌強度指標Ｇ値（Ｓ−１）、ｄｒｗ：原水の濁質粒子の粒径（ｍ）、ａ，ｂ，ｃ：係数
【００５９】
式（９）のＧ(攪拌強度指標Ｇ値)は攪拌力を表わす指標であり、その演算式の一例を式（１２）に示す。式（１２）は、攪拌力入力手段３４によって入力された回転数、回転翼の面積と半径を用いて演算した例である。
【数１】
2006122749.tif 000003
ただし、Ａ：回転翼の面積（ｍ２）、Ｄ：回転翼の直径（ｍ）、Ｒ：回転数（ｒｐｍ）、Ｃｐ：パドル係数、Ｖ：池の容積（ｍ３）、ρ：粒子の密度（ｋｇ/ｍ３）、π：円周率、μ：水の粘性係数（Ｐａ・ｓ）
【００６０】
なお、式（９）のＧには、攪拌強度指標Ｇ値のほか、例えば攪拌速度、または、攪拌によって生成する水流の速度勾配を代入してもよい。
【００６１】
ステップＳ２１は、式（７）で得られた凝集効率αを用いて、原水の濁質粒子を凝集しない濁質粒子と凝集する濁質粒子の２つのグループに分けて、それぞれの粒子数を演算する。凝集しない濁質粒子の粒子数の演算式の一例を式（１３）に示し、凝集する濁質粒子の粒子数の演算式の一例を式（１４）に示す。
Ｎｕｃ＝Ｎｒｗ×（１−α）…（１３）
Ｎｃ＝Ｎｒｗ×α…（１４）
ただし、Ｎｕｃ：凝集しない濁質粒子の粒子数（個/Ｌ）、Ｎｃ：凝集する濁質粒子の粒子数（個/Ｌ）、Ｎｒｗ：原水の濁質粒子の粒子数（個/Ｌ）、α：凝集効率
【００６２】
ステップＳ２２は、凝集する濁質粒子が生成するマイクロフロックの粒径を演算する。その演算式の一例を式（１５）に示す。
ｄｒｍ＝ｄｒｍ’＋（ｄｒｍ”−ｄｒｍ’）/（ｄｒｗ”−ｄｒｗ’）×（ｄｒｗ−ｄｒｗ’）…（１５）
ただし、ｄｒｍ：マイクロフロックの粒径（ｍ）、ｄｒｍ’：マイクロフロックの平均粒径（ｍ）、ｄｒｍ”： マイクロフロックの最大粒径（ｍ）、ｄｒｗ：原水の濁質粒子の粒径（ｍ）、ｄｒｗ’：原水の濁質粒子の平均粒径（ｍ）、ｄｒｗ”： 原水の濁質粒子の最大粒径（ｍ）、
【００６３】
なお、式（１５）のｄｒｍ’， ｄｒｍ”は、凝集剤種類や凝集剤注入量や原水の濁度によって異なり、ジャーテストなどの計測値を代入すればよい。
【００６４】
ステップＳ２３は、マイクロフロックの密度を演算する。マイクロフロックが大きくなるにつれてフロックの間隙に含まれる水の割合が増えてくるので、密度がしだいに小さくなってくる。ステップＳ２３の演算式の一例を式（１６）に示す。
ρｒｍ＝ρｗ＋（ｄｒｗ/ｄｒｍ）ＫＰ×（ρｒｗ−ρｗ）…（１６）
ただし、ρｒｍ：マイクロフロックの密度（ｋｇ/ｍ３）、ρｒｗ：原水の濁質粒子の密度（ｋｇ/ｍ３）、ρｗ：水の密度（ｋｇ/ｍ３）、ｄｒｗ：原水の濁質粒子の粒径（ｍ）、ｄｒｍ：マイクロフロックの粒径（ｍ）、ＫＰ：係数
【００６５】
なお、式（１６）の例のほか、マイクロフロックの密度は、公知の値を参照してもよいし、実験で得られた実測値でもよい。
【００６６】
ステップＳ２４は、式（１７）の質量保存則を用いて、凝集する濁質粒子が形成するマイクロフロックの粒子数を演算する。
Ｎｒｍ＝Ｎｃ×ｄｒｗ3×ρｒｗ/（ｄｒｍ３×ρｒｍ）…（１７）
ただし、Ｎｒｍ：マイクロフロックの粒子数（個/Ｌ）、Ｎｃ：凝集する濁質粒子の粒子数（個/Ｌ）、ρｒｍ：マイクロフロックの密度（ｋｇ/ｍ３）、ρｒｗ：原水の濁質粒子の密度（ｋｇ/ｍ３）、ｄｒｍ：マイクロフロックの粒径（ｍ）、ｄｒｗ：原水の濁質粒子の粒径（ｍ）
【００６７】
このように、まず、式（１４）を用いて凝集する濁質粒子の粒子数を演算する。次に式（１５）、式（１６）、式（１７）を用いてマイクロフロックの粒径、密度、粒子数を演算することができる。
【００６８】
このステップＳ２０，Ｓ２１，Ｓ２２，Ｓ２３及びＳ２４を粒径クラス毎に繰り返すことにより、全ての粒径クラスに対し、凝集しない濁質粒子の粒子数と、マイクロフロックの粒子数，粒径及び密度とを演算することができる。
【００６９】
ステップＳ２５は、ステップＳ２１の式（１３）によって演算した凝集しない濁質粒子の粒子数とステップＳ２４の式（１７）によって演算したマイクロフロックの粒子数とを粒径クラス別に合計し、急速混和池の粒径分布を演算する。
【００７０】
図６は、図３のステップＳ３によって行われるフロック形成池の粒径分布を演算する手順を示すフロー図である。ステップＳ３０は、粒子間の衝突合一によってフロックの粒子径が大きくなり、粒子数が減少する現象を式（１８）により演算する。式（１８）には、粒子間の衝突合一の所要時間Ｔと滞留時間ｔを用いて、衝突合一後の粒子数Ｎfoを演算した例を示す。衝突合一の所要時間Ｔ演算の一例を式（１９）に示す。また、粒子衝突機構Ａは、粒子のブラウン運動や、攪拌による粒子間の衝突頻度を表わしたものであり、その演算式の一例を式（２０）に示す。なお、式（２０）の攪拌強度指標Ｇ値は式（１２）によって演算される。
Ｎfo＝Ｎf／（１＋ｔ／Ｔ）…（１８）
Ｔ  ＝  １／（Ａ×Ｎf）…（１９）
Ａ＝３２/３・Ｇ・ｄf３…（２０）
ただし、Ｎfo：衝突合一後のフロックの粒子数（個／Ｌ）、Ｎf：衝突合一前のフロックの粒子数（個／Ｌ）、Ｔ：衝突合一の所要時間（Ｓ／個）、ｔ：滞留時間（Ｓ）、Ａ：粒子の衝突機構（Ｓ−１・ｍ３）、Ｇ：攪拌強度指標Ｇ値（Ｓ−１）、ｄｆ：衝突合一前のフロックの粒径（ｍ）
【００７１】
ここで示した例のほかに、例えば、粒子の衝突確率、衝突合一の凝集速度などを用いて、衝突後の粒子数を演算してもよいし、前記の衝突確率、衝突合一の凝集速度は公知の値を参照してもよいし、実験で得られた実測値でもよい。
【００７２】
ステップＳ３１は、ステップＳ３０の衝突合一前のフロックの粒子数・粒径と、衝突合一後のフロックの粒子数を式（２１）に代入し、衝突合一後の概ねのフロックの粒径を演算する。
ｄfo＝（Ｎf×ｄｆ３×/Ｎfo）１/３…（２１）
ただし、ｄfo：衝突合一後のフロックの粒径（ｍ）、ｄｆ：衝突合一前のフロックの粒径（ｍ）、Ｎfo：衝突合一後のフロックの粒子数（個／Ｌ）、Ｎf：衝突合一前のフロックの粒子数（個／Ｌ）
【００７３】
ステップＳ３２は、例えば、式（２２）を用いて、衝突合一後のフロックの密度を演算する。
ρfo＝ρｗ＋（ｄｆ/ｄfo）ＫＰ×（ρf−ρｗ）…（２２）
ただし、ρfo：衝突合一後のフロックの密度（ｋｇ/ｍ３）、ρf：衝突合一前のフロックの密度（ｋｇ/ｍ３）、ρｗ：水の密度（ｋｇ/ｍ３）、ｄfo：衝突合一後のフロックの粒径（ｍ）、ｄf：衝突合一前のフロックの粒径（ｍ）、ＫＰ：係数
【００７４】
ステップＳ３３は、攪拌によるフロックの破壊を演算する。例えば、粒径が所定サイズを超えたフロックが破壊されるように演算する。なお、前記の所定サイズは攪拌強度を変数とした関数で表す。例えば、攪拌が強いほど所定サイズが小さくなる、あるいは破壊されたフロックは所定サイズ以下のフロックになるように演算する。前記の所定サイズのほか、例えば、各粒径クラスのフロックが一定割合で破壊されるように演算してもよい。前記の一定割合は例えば、各粒径クラスことに攪拌強度に従い定義してもよいし、各粒径クラスことに重みをかけるように定義してもよい。
【００７５】
このステップＳ３０，Ｓ３１，Ｓ３２及びＳ３３を粒径クラス毎に繰り返すことにより、全ての粒径クラスに対し、衝突合一後のフロックの粒子数，粒径及び密度を演算することができる。
【００７６】
ステップＳ３４は、ステップＳ３０，Ｓ３１，Ｓ３２及びＳ３３の繰り返しによって得られた衝突合一後のフロックの粒子数を粒径クラス別に合計し、フロック形成池の粒径分布とする。
【００７７】
なお、フロック形成池が複数段（図１には３段の実施例を示す）から構成される場合、図６の演算手順を順次にフロック形成池３の各段に適用することで、フロック形成池の各段の粒径分布を演算することができる。
【００７８】
図７は、図３のステップＳ４によって行われる沈殿池の粒径分布を演算する手順を示すフロー図である。
ステップＳ４０は、フロックの沈降速度を計算する。フロックの沈降速度一例を式（２３）に示す。
Ｖff＝１／１８・ｇ・（ρff−ρｗ）／μ・ｄff２…（２３）
ただし、Ｖff：沈殿池流入フロックの沈降速度（ｍ/ｓ）、ρff：沈殿池流入フロックの密度（ｋｇ/ｍ３）、ρｗ：水の密度（ｋｇ/ｍ３）、ｄff：沈殿池流入フロックの粒径（ｍ）、ｇ：重力加速度（ｍ/ｓ２）、μ：水の粘性係数（Ｐａ・ｓ）
【００７９】
なお、粒子間の干渉に関する補正係数を式（２３）に加えてもよい。補正係数は文献値を参照してもよいし、実験で得られた実測値でもよい。
【００８０】
ステップ４１は、式（２３）の沈降速度と沈殿池の滞留時間ｔ、沈殿池水深Ｈを用いて沈殿池で沈みきれないフロックの粒子数を演算する。その演算式の一例を式（２４）に示す。
Ｎffo  ＝Ｎff×（１−Ｖff・ｔ／Ｈ）…（２４）
ただし、Ｎffo：沈殿池流出フロックの粒子数（個/Ｌ）、Ｎff：沈殿池流入フロックの粒子数（個/Ｌ）、Ｖff：沈殿池流入フロックの沈降速度（ｍ/ｓ）、ｔ：沈殿池滞留時間（ｓ）、Ｈ：沈殿池水深（ｍ）
【００８１】
このステップＳ４０及びＳ４１を粒径クラス毎に繰り返すことにより、全ての粒径クラスに対し、沈殿池流出フロックの粒子数を演算することができる。
【００８２】
ステップＳ４２は、ステップＳ４０及びＳ４１の繰り返しによって得られた沈殿池流出フロックの粒子数を粒径クラス別に合計し、沈殿池の粒径分布を演算する。
【００８３】
このようにして演算された粒径分布は、表示手段８０によってディスプレイに画面表示される。図８は、粒径分布の表示画面の一例を示す。この画面は、粒径分布の表示用と、濁度演算手段４２によって演算された濁度の表示用とに兼用されており、左上の「濁度」，「粒径分布」と表記された釦によって表示を切り替えるようになっている。図８では、粒径分布の表示用に切り替えられた状態を示している。  
【００８４】
エリア１２０は、ステップＳ１１によって演算された原水の粒径分布である。エリア１２１は、ステップＳ２５によって演算された急速混和池の粒径分布である。エリア１２２は、ステップＳ３４によって演算されたフロック形成池の粒径分布である。エリア１２３は、ステップＳ４２によって演算された沈殿池の粒径分布である。また、エリア１２４、１２５、１２６、１２７は、それぞれ、エリア１２０、１２１、１２２，１２３の粒径分布に基き、式（２５）を用いて、全粒子に対して各粒径クラスの粒子体積が占める割合を演算した結果である。
【数２】
2006122749.tif 000004
ただし、Ｖｐｉ：粒径クラスｉの粒子が占める体積の割合（％）、Ｎｉ：粒径クラスｉのフロック粒子数（個/Ｌ）、ｄｉ：粒径クラスｉのフロック粒径（ｍ）、ρｉ：粒径クラスｉのフロック密度（ｋｇ/ｍ３）、ｉ：粒径クラス（ｉ＝１，２…、ｎ）
【００８５】
このように、本発明によれば、浄水処理の各プロセスの粒径分布（粒子数と粒子体積）を把握することできる。
【００８６】
次に、図９は、図８に示した画面が濁度の表示用に切り替えられた状態を示す。エリア１２８は、原水入力手段３１によって入力した原水の濁度の２４時間時系列データである。エリア１２９は、濁度演算手段４２によって演算した沈殿池流出水濁度の２４時間時系列データである。このように、原水の濁度を合わせて表示することで、沈殿池流出水濁度を予測するだけではなく、時間の遅れを把握することもできる。
【００８７】
図１０に、除去目標入力手段５０によって表示されるＧＵＩ画面の一例を示す。このＧＵＩ画面では、急速混和池，フロック形成池，沈殿池流出水のうちの任意の１つのプロセスを選択して、そのプロセスに対する目標値を設定することができる（図では沈殿池流出水を選択した状態を描いている）。
【００８８】
そして、沈殿池流出水に対しては、濁度，平均粒径，粒子個数濃度，粒子体積濃度及び粒径のうちの任意の１つを目標値として設定したり、それらのうちの任意の複数の目標値を同時に設定することができる（図では、濁度を１．０ｍｇ/Ｌ以下として設定し、且つ、粒径１０μｍ以上の粒子流出をゼロとして設定した状態を描いている）。
【００８９】
また、急速混和池，フロック形成池に対しても、平均粒径及び粒径のうちの任意の１つを目標値として設定したり、それらの両方の目標値を同時に設定することができる。
【００９０】
凝集沈殿プロセス全体の運転目標を設定する場合は、図１０の状態のように、除去目標を沈殿池流出水質にする。また、急速混和池のマイクロフロックの形成状況を制御する場合、除去目標を急速混和池にすればよい。同様に、フロック形成池を制御する場合、除去目標をフロック形成池にすればよい。このように、除去目標値は、処理場が置かれた環境（季節及び流入変動、運転方針）によって異なるため、目的とするプロセスに対してマウスやキーボードによって設定および変更をすることができる。
【００９１】
なお、図１０の例では、急速混和池，フロック形成池，沈殿池流出水のうちの１つのプロセスだけを選択して目標値を設定しているが、それらのうちの２以上のプロセスを同時に選択して目標値を設定（例えば、「急速混和池の粒径５０μｍ以上の粒子体積が占める割合８０％以上」且つ、「フロック形成池の粒径１００μｍ以上の粒子体積が占める割合８０％以上」と設定）できるようにしてもよい。
【００９２】
図１１は、操作量演算手段９０によって行われる凝集剤注入量の決定の手順を示すフロー図である。
【００９３】
ステップＳ５０は、操作量（凝集剤注入率）の探索範囲として、例えば操作量の最小値と最大値とその間の計算間隔を設定する。設定値はキーボードなどによって入力してもよいし、予めメモリに記憶してもよい。このような探索範囲の設定により、コンピュータに不用な演算を行わせることを防止でき、コンピュータの演算機能やメモリの節約、及び演算時間の短縮を図ることができる。
【００９４】
ステップＳ５１は、ステップＳ５０で設定した探索範囲に基き、操作量を自動設定する。例えば、ステップＳ５０において、最小値，最大値がそれぞれ５ｍｇ／Ｌ，３０ｍｇ／Ｌであり、演算間隔が２．５ｍｇ／Ｌであった場合、ステップＳ５１では、凝集剤注入率の操作量は５ｍｇ／Ｌ，７．５ｍｇ／Ｌ，１０ｍｇ／Ｌ，１２．５ｍｇ／Ｌ，１５ｍｇ／Ｌ，１７．５ｍｇ／Ｌ，２０ｍｇ／Ｌ，２２．５ｍｇ／Ｌ，２５ｍｇ／Ｌ，２７．５ｍｇ／Ｌ，３０．０ｍｇ／Ｌの１１ケースとなる。
【００９５】
ステップＳ５２は、ステップＳ５１によって設定した操作量ケース毎に、モデル演算手段４０を用いて粒径分布（沈殿池流出水に対する目標値が設定された場合には粒径分布及び濁度）を演算する。例えば、図１０に示したように沈殿池流出水に対して濁度が１．０ｍｇ/Ｌ以下として設定され且つ粒径１０μｍ以上の粒子流出がゼロとして設定された場合は、粒径分布演算手段４１に沈殿池の粒径分布を演算させる（図３のステップＳ４，図７）とともに、濁度演算手段４２に沈殿池流出水の濁度を演算させる。なお、モデル演算に必要な情報は、ステップＳ５１によって設定した操作量のほかに、原水条件，土木構造，攪拌力等があり、これらの情報はデータ入力手段３０により入力される。
【００９６】
ステップＳ５２を全ての操作量ケースに対して繰り返した後に、ステップＳ５３では、全ての操作量ケースの演算結果から、除去目標入力手段５０によって入力された除去目標値を満足できる凝集剤注入率を決定する。
【００９７】
このようにして決定された凝集剤注入率は、表示手段８０によってディスプレイに画面表示される。図１２は、この凝集剤注入率の表示例である。この例では、図１０に示したように沈殿池流出水に対して濁度が１．０ｍｇ/Ｌ以下として設定され且つ粒径１０μｍ以上の粒子流出がゼロとして設定された場合の凝集剤注入率を示している。エリア３００は凝集剤注入率と沈殿池流出水濁度との相関図を示し、エリア３０２は除去目標である「沈殿池流出水の濁度１．０ｍｇ/Ｌ以下」を満足できる凝集剤注入率を抽出した結果である。同様に、エリア３０１は、凝集剤注入率と流出粒子の最大粒径との相関図を示し、エリア３０３は除去目標である「粒径１０μｍ以上の粒子流出ゼロ」を満足できる凝集剤注入率を抽出した結果である。エリア３０４はエリア３０２とエリア３０３の結果から、「沈殿池流出水の濁度１．０ｍｇ/Ｌ以下」かつ「粒径１０μｍ以上の粒子流出ゼロ」の除去目標値を満足できる凝集剤注入率を抽出した結果である。
【００９８】
図１２には、沈殿池流出水水質を除去目標値とした例を示したが、急速混和池やフロック形成池のフロック形成条件を除去目標値とした場合も、同様に、操作量演算手段９０によって決定された凝集剤注入量が表示される。
【００９９】
以上説明した内容のように、本発明によれば、原水の水量及び水質，水処理プラントの土木構造及び凝集剤の注入量のデータに基いて水処理プロセスの粒径分布（沈殿池流出水については粒径分布及び濁度）を定量的に演算するので、プロセスの状況を定量的に把握することができる。
【０１００】
そして、このように水処理プロセスの状況を定量的に把握しながら、目標とする水質を得るための凝集剤注入量を演算するので、凝集剤注入量を適切に決定して水処理プロセスの運転を支援することができる。
【０１０１】
また、運転支援システム２０として、水処理プロセス運転支援プログラムをインストールしたコンピュータ（ワークステーションまたはパーソナルコンピュータ）を用いるようにしているので、このプログラムを水道施設所有事業体に提供することにより、職員や専門技術者の少ない事業体であっても、凝集剤注入量を適切に決定して水処理プロセスを運転することができる。
【０１０２】
なお、以上の例では、粒径分布演算手段４１は、原水条件入力手段３１，土木構造入力手段３２，凝集剤入力手段３３及び攪拌力入力手段３４による入力データに基いて粒径分布を演算している。しかし、別の例として、攪拌力入力手段３４を省略して、原水条件入力手段３１，土木構造入力手段３２及び凝集剤入力手段３３による入力データのみに基いて粒径分布を演算する（攪拌装置１４，１５の攪拌速度，回転数，回転翼の面積，回転翼の半径等のデータは規定値として予めメモリに記憶しておく）ようにしてもよい。
【０１０３】
また、以上の例では、凝集剤入力手段３３が凝集剤の種類，塩基度，濃度，凝集条件，注入量等のデータを入力するようにしている。しかし、別の例として、凝集剤入力手段３３が凝集剤の注入量のデータのみを入力する（粒径分布演算手段４１は、凝集剤入力手段３３からの入力データとしてはこの注入量のデータのみを用いて演算を行う）ようにしてもよい。
【０１０４】
また、以上の例では、浄水場の浄水処理プロセスの運転支援に本発明を適用している。しかし、本発明は、これに限らず、凝集沈殿により水中の濁質粒子を除去するあらゆる水処理プロセスの運転を支援するために適用してよい。
【０１０５】
また、以上の例では運転支援システム２０としてコンピュータを用いているが、これに限らず、上述の水処理プロセス運転支援プログラムに相当するファームウェアを格納した専用ＬＳＩを有する装置を運転支援システム２０として用いるようにしてもよい。
【図面の簡単な説明】
【０１０６】
【図１】本発明を適用した浄水処理運転支援装置の全体構成を示す図である。
【図２】粒径分布の一例を示す図である。
【図３】粒径分布の演算手順を示すフロー図である。
【図４】図３のステップＳ１の手順を示すフロー図である。
【図５】図３のステップＳ２の手順を示すフロー図である。
【図６】図３のステップＳ３の手順を示すフロー図である。
【図７】図３のステップＳ４の手順を示すフロー図である。
【図８】粒径分布の表示例を示す図である。
【図９】濁度の表示例を示す図である。
【図１０】除去目標値設定のためのＧＵＩ画面を示す図である。
【図１１】凝集剤注入量の演算手順を示すフロー図である。
【図１２】凝集剤注入量の表示例を示す図である。
【符号の説明】
【０１０７】
１…着水井、２…急速混和池、３…フロック形成池、４…沈殿池、５…ろ過池、６…原水、７…流量計、８…計測センサ、９…沈殿池流出水、１０…計測センサ、１１…凝集剤貯蔵設備、１２…凝集剤操作装置、１３…凝集剤、１４…攪拌装置、１５…攪拌装置、１６…攪拌操作装置、１７…攪拌操作装置、１００…浄水処理プラント、２０…浄水処理運転支援システム２０、３０…データ入力手段、４０…モデル演算手段、５０…除去目標入力手段、６０…プラントデータ入力手段、８０…表示手段、９０…操作量演算手段
【図１】
2006122749.tif 000005
【図２】
2006122749.tif 000006
【図３】
2006122749.tif 000007
【図４】
2006122749.tif 000008
【図５】
2006122749.tif 000009
【図６】
2006122749.tif 000010
【図７】
2006122749.tif 000011
【図８】
2006122749.tif 000012
【図９】
2006122749.tif 000013
【図１０】
2006122749.tif 000014
【図１１】
2006122749.tif 000015
【図１２】
2006122749.tif 000016